(57)【要約】【課題】体液の採取操作がし易く、体液中の所定成分を少ない体液量で検出し得る体液採取具を提供すること。【解決手段】体液採取具１は、針収納部２と、センサ５と、センサホルダ６とを有している。針収納部２は、針体４１とハブ４２とで構成される穿刺針４と、この穿刺針４を軸方向に移動可能に収納するケーシング３とを有する。センサ５は、その先端部に測定部５１を有する。センサ５は、針収納部２の先端部にセンサホルダ６が装着され、センサホルダ６と針収納部２との間に支持されている。かかる部分が第２の支持部８２を構成し、また、センサホルダ６の先端部内側には、測定部５１近傍を支持する第１の支持部８１が設けられている。また、センサホルダ６の先端部には、穿刺針４による表皮の穿刺部位からの血液を採取して、測定部５１に導く血液導入路６３が形成されている。【選択図】　図３
2004033375.tif 000002
【特許請求の範囲】
【請求項１】
体液中の所定成分を検出するセンサを有する体液採取具であって、
前記センサは、その先端部に、前記体液を収容可能である測定部を備え、
前記体液採取具は、前記センサの前記測定部近傍を支持する第１の支持部と、該第１の支持部より基端側において、前記センサを支持する第２の支持部とを有し、
前記測定部以外の箇所に前記体液が浸潤するのを防止する体液浸潤防止手段を有することを特徴とする体液採取具。
【請求項２】
体液中の所定成分を検出するセンサを有する体液採取具であって、
前記センサは、その先端部に、前記体液を収容可能である測定部を備え、
前記体液採取具は、前記センサの前記測定部近傍を支持する第１の支持部と、該第１の支持部より基端側において、前記センサを支持する第２の支持部とを有し、
前記第１の支持部と第２の支持部との間には、前記センサの表面が前記体液採取具の内面に実質的に接触しない非接触空間が形成されていることを特徴とする体液採取具。
【請求項３】
前記第１の支持部の基端部には、前記非接触空間に連通する凹部が形成されている請求項２に記載の体液採取具。
【請求項４】
前記凹部は、前記第１の支持部の一部を切り欠いた形状の切欠部である請求項３に記載の体液採取具。
【請求項５】
前記センサは、前記非接触空間において屈曲または湾曲している請求項２ないし４のいずれかに記載の体液採取具。
【請求項６】
前記第１の支持部は、前記第２の支持部より前記体液採取具の中心軸に近くなるよう配置されている請求項１ないし５のいずれかに記載の体液採取具。
【請求項７】
前記体液採取具は、前記第１の支持部に連通し、前記体液を採取して前記測定部に導く体液導入路を有する請求項１ないし６のいずれかに記載の体液採取具。
【請求項８】
前記体液導入路の容積は、前記測定部の容積の０．５〜２倍である請求項７に記載の体液採取具。
【請求項９】
前記体液導入路は、その長さが０．１〜１０ｍｍであり、その内径が０．１〜３ｍｍである請求項７または８に記載の体液採取具。
【請求項１０】
前記測定部は、前記体液導入路の長手方向に対して傾斜しており、かつ、前記体液導入路の流出側開口近傍に位置している請求項７ないし９のいずれかに記載の体液採取具。
【請求項１１】
前記体液採取具は、その先端に突出形成され、前記体液を前記体液導入路の流入側開口に導くガイド部を有し、
前記ガイド部の先端から前記体液導入路の流入側開口までの距離は、１〜１０ｍｍである請求項７ないし１０のいずれかに記載の体液採取具。
【請求項１２】
前記センサは、前記体液と接触することにより、前記体液中の所定成分を電気的に検出するものである請求項１ないし１１のいずれかに記載の体液採取具。
【発明の詳細な説明】
【０００１】
【発明が属する技術分野】
本発明は、例えば血糖値の測定に用いられる成分測定装置に装着して使用される体液採取具に関する。
【０００２】
【従来の技術】
従来、血液中の種々の成分を測定するために、血液中の特定成分と反応する特異酵素の反応生成物を測定する方法が検討されてきている。特に、血糖値の測定は、患者の状態をモニターするために重要であり、日常の血糖値の変動を患者自身がモニターする自己血糖測定が推奨されてきている。また、近年、糖尿病患者が増加してきており、簡便で苦痛の少ない測定方法、測定手段が求められてきている。
【０００３】
この血糖値の測定は、グルコースオキシダーゼやグルコースデヒドロゲナーゼ等の酵素がブトウ糖を酸化する反応を用いて行われる場合が多く、現在、血中のブドウ糖量に応じて呈色する試験紙を装着し、該試験紙に血液を供給、展開して呈色させ、その呈色の度合いを光学的に測定（測色）して血糖値を定量化する比色式の方法、前記の酵素反応の生成物を電気的に測定する電極式の方法等による血糖測定装置を用いて行われている。
【０００４】
これらの測定方法においては、測定用の血液を採取することが必須である。これらの測定に先立ち、患者が測定用の自分の血液を採取する方法としては、穿刺針を備えた穿刺装置を用いて指先等の皮膚を穿刺した後、穿刺部位周辺を指等で圧迫して血液を絞り出すことが行われている。
【０００５】
ところが、従来の試験紙を用いた光学的な測定方法では、比較的多くの血液量を必要とすることから、皮膚を深く穿刺しなければならず、痛みを伴い、患者へ与える苦痛、負担が大きく、また、穿刺することによる恐怖感を伴うことから、自己血糖測定が続けられなくなる患者も多かった。また、電極式の測定装置においても、比色式に匹敵する程度の実質的に多くの血液量を必要としていたため、同様の問題を有してした。
【０００６】
従来の電極式の血糖値測定に用いられる血糖センサは、絶縁性の基板やシートの上にスクリーン印刷等の方法でカーボンや金属により電極が形成され、血液を滴下あるいは吸い取る部分（血液試料点着部）に必要な酵素、電子受容体あるいはｐＨ調整用の電解質などの層が形成されているものが、ストリップ状の測定用チップ（体液採取具）として多く使用されている。従来のストリップ状の電極式センサは、薄板状であり、センサストリップの血液試料点着部がストリップの先端部あるいは側部等に設けられ、該血液試料点着部に血液試料を直接点着する構成であるため、血液試料を点着し難く、また、点着の失敗も起こりやすいものであった。
【０００７】
【発明が解決しようとする課題】
本発明の目的は、体液の採取操作がし易く、体液中の所定成分を少ない体液量で検出し得る体液採取具を提供することにある。
【０００８】
【課題を解決するための手段】
このような目的は、下記（１）〜（１２）の本発明により達成される。
【０００９】
（１）　体液中の所定成分を検出するセンサを有する体液採取具であって、
前記センサは、その先端部に、前記体液を収容可能である測定部を備え、
前記体液採取具は、前記センサの前記測定部近傍を支持する第１の支持部と、該第１の支持部より基端側において、前記センサを支持する第２の支持部とを有し、
前記測定部以外の箇所に前記体液が浸潤するのを防止する体液浸潤防止手段を有することを特徴とする体液採取具。
【００１０】
（２）　体液中の所定成分を検出するセンサを有する体液採取具であって、
前記センサは、その先端部に、前記体液を収容可能である測定部を備え、
前記体液採取具は、前記センサの前記測定部近傍を支持する第１の支持部と、該第１の支持部より基端側において、前記センサを支持する第２の支持部とを有し、
前記第１の支持部と第２の支持部との間には、前記センサの表面が前記体液採取具の内面に実質的に接触しない非接触空間が形成されていることを特徴とする体液採取具。
【００１１】
（３）　前記第１の支持部の基端部には、前記非接触空間に連通する凹部が形成されている上記（２）に記載の体液採取具。
【００１２】
（４）　前記凹部は、前記第１の支持部の一部を切り欠いた形状の切欠部である上記（３）に記載の体液採取具。
【００１３】
（５）　前記センサは、前記非接触空間において屈曲または湾曲している上記（２）ないし（４）のいずれかに記載の体液採取具。
【００１４】
（６）　前記第１の支持部は、前記第２の支持部より前記体液採取具の中心軸に近くなるよう配置されている上記（１）ないし（５）のいずれかに記載の体液採取具。
【００１５】
（７）　前記体液採取具は、前記第１の支持部に連通し、前記体液を採取して前記測定部に導く体液導入路を有する上記（１）ないし（６）のいずれかに記載の体液採取具。
【００１６】
（８）　前記体液導入路の容積は、前記測定部の容積の０．５〜２倍である上記（７）に記載の体液採取具。
【００１７】
（９）　前記体液導入路は、その長さが０．１〜１０ｍｍであり、その内径が０．１〜３ｍｍである上記（７）または（８）に記載の体液採取具。
【００１８】
（１０）　前記測定部は、前記体液導入路の長手方向に対して傾斜しており、かつ、前記体液導入路の流出側開口近傍に位置している上記（７）ないし（９）のいずれかに記載の体液採取具。
【００１９】
（１１）　前記体液採取具は、その先端に突出形成され、前記体液を前記体液導入路の流入側開口に導くガイド部を有し、
前記ガイド部の先端から前記体液導入路の流入側開口までの距離は、１〜１０ｍｍである上記（７）ないし（１０）のいずれかに記載の体液採取具。
【００２０】
（１２）　前記センサは、前記体液と接触することにより、前記体液中の所定成分を電気的に検出するものである上記（１）ないし（１１）のいずれかに記載の体液採取具。
【００２１】
【発明の実施の形態】
＜成分測定装置＞
まず、本発明の体液採取具を説明する前に、本発明の体液採取具を装填（装着）して使用する成分測定装置について、図８〜図１０を参照して説明する。なお、以下では、この成分測定装置として、表皮（皮膚）を介して体液（本実施形態では、血液を代表して説明する。）を採取して、その体液中の所定成分を測定（検出）する装置を代表に説明する。
【００２２】
また、表皮の前記体液の採取に関与する部位（体液採取部位）は、好ましくは指であるが、この他、例えば、手（手の平、手の甲、手の側部）、腕、大腿、耳たぶ等であってもよい。以下では、指先（指）を穿刺する形態の成分測定装置について説明する。
【００２３】
図８は、本発明の体液採取具を装填して使用する成分測定装置の構成を模式的に示す分解斜視図であり、図９および図１０は、それぞれ、図８に示す成分測定装置が備えるハウジング、穿刺手段、測定手段の構成を模式的に示す図（一部、縦断面図として示す）である。なお、以下の説明では、図８〜図１０中、右側を「基端」、左側を「先端」、上側を「上」または「上方」、下側を「下」または「下方」と言う。
【００２４】
図８に示す成分測定装置（血液成分測定装置）１００は、本体２００と、穿刺手段４００を内蔵したハウジング５００と、採取された血液（体液）中の所定成分（以下、本実施形態では、ブドウ糖を代表として説明する。）を測定（検出）する計測手段７００と、電池（電源部）９００と、回路基板１１０上に設けられた制御手段１１１と、表示部１１２とを備えている。この成分測定装置１００は、ハウジング５００の先端部に本発明の体液採取具１を装填（装着）して使用される。
【００２５】
以下、各部の構成（各構成要素）について、順次説明する。
本体２００は、筐体２１０と蓋体２２０とで構成され、その内部には、前述したような各部（各部材）が収納されている。
【００２６】
筐体２１０の先端側の壁部２１１には、筐体２１０の内外を貫通し、横断面での形状がほぼ長方形（後述する体液採取具１の断面形状に対応した形状）の開口２１２が形成されている。この開口２１２を介して、ハウジング５００の先端部に、体液採取具１が装填（保持）される。
【００２７】
蓋体２２０の上面には、蓋体２２０の内外を貫通する表示窓（開口）２２１が形成されており、この表示窓２２１は、透明な材料で構成される板状部材で塞がれている。
【００２８】
表示窓２２１に対応する本体２内部には、表示部１１２が設置されている。したがって、表示窓２２１を介して、表示部１１２で表示される各種情報を確認することができる。
【００２９】
表示部１１２は、例えば、液晶表示素子（ＬＣＤ）等で構成されている。この表示部１１２には、例えば、電源のオン／オフ、電源電圧（電池残量）、測定値、測定日時、エラー表示、操作ガイダンス等を表示することができる。
【００３０】
また、蓋体２２０の上面には、操作ボタン２２２が設けられている。成分測定装置１００は、この操作ボタン２２２を押圧することにより、後述する穿刺手段４００が作動するように構成されている。
【００３１】
制御手段１１１は、成分測定装置１００の各部の諸動作を制御するとともに、計測手段７００からの信号に基づいて血液中のブドウ糖量（血糖値）を算出する演算部を内蔵している。
【００３２】
電池９００は、制御手段１１１、表示部１１２、計測手段７００等と電気的に接続され、これらの作動に必要な電力を供給する。
【００３３】
また、筐体２１０には、ハウジング５００の先端開口５０１が、前記開口２１２に対応するように固着（固定）されている。
【００３４】
ハウジング５００は、図９および図１０に示すように、基端に壁部５１０を有する円筒状（有底筒状）の部材で構成され、その内部には、内腔部（収納空間）５２０が形成されている。
【００３５】
また、ハウジング５００の先端部は、その内部形状が体液採取具１の外部形状に対応して形成された装填部（嵌合部）５３０が形成されている。この装填部５３０に体液採取具１が挿入され、嵌合（固定）される。
【００３６】
装填部５３０より基端側の内腔部５２０には、穿刺手段４００が収納されている。穿刺手段４００は、その先端部（針ホルダ４１１）に嵌合（装着）される穿刺針４を先端方向へ移動させる。これにより、穿刺針４が備える針体４１は、その鋭利な針先により指先Ｆの表面（皮膚）を穿刺する。
【００３７】
この穿刺手段４００は、プランジャ４１０と、プランジャ４１０を先端方向へ付勢するコイルバネ（付勢部材）４２０と、プランジャ４１０を基端方向へ付勢するコイルバネ（付勢部材）４３０とを有している。
【００３８】
プランジャ４１０の先端部には、カップ状の針ホルダ４１１が、プランジャ４１０と一体的に形成されている。この針ホルダ４１１には、穿刺針４の嵌合部４２１が着脱自在に嵌合する。
【００３９】
また、プランジャ４１０の基端部には、先端に突起状の係止部４１３を有する弾性変形可能な弾性片４１２が、プランジャ４１０と一体的に形成されている。この弾性片４１２は、その基端を支点（固定端）として、その先端が図９および図１０中、上下方向へ変位する。これにより、係止部４１３が図９および図１０中、上下方向へ変位する。
【００４０】
体液採取具１をハウジング５００に装填（装着）する前の状態、すなわち、穿刺針４をプランジャ４１０（針ホルダ４１１）に装着する前の状態（図９参照）では、係止部４１３は、その頂部付近が弾性片４１２の弾性力によりハウジング５００の内周面に当接している。一方、体液採取具１をハウジング５００に装填した状態、すなわち、穿刺針４をプランジャ４１０（針ホルダ４１１）に装着した状態（図１０参照）では、係止部４１３は、ハウジング５００の側壁を貫通するように形成された開口５７０に挿入され、その縁部に係止する。これにより、プランジャ４１０の先端方向への移動が規制される。
【００４１】
コイルバネ（穿刺用バネ）４２０は、プランジャ４１０より基端側に設置され、その両端は、それぞれ、プランジャ４１０および壁部５１０に当接している。一方、コイルバネ（押し戻し用バネ）４３０は、プランジャ４１０より先端側に設置され、その両端は、それぞれ、プランジャ４１０および装填部５３０に当接している。
【００４２】
また、図９および図１０に示すように、ハウジング５００の外側部には、係止部４１３を内腔部５２０に向かって（図中矢印方向へ）移動させることができる係止解除部材２２３が設けられている。この係止解除部材２２３は、前述の操作ボタン２２２の押圧操作に連動して移動する。
【００４３】
係止部４１３が開口５７０の縁部に係止している状態（図１０に示す状態）では、コイルバネ４２０は、圧縮状態とされ、プランジャ４１０を先端方向へ付勢する。係止解除部材２２３を図１０中矢印方向へ移動させ、係止部４１３の係止状態を解除すると、コイルバネ４２０は、伸張してプランジャ４１０を先端方向へ移動させる。これにより、穿刺針４は、先端方向へ移動し、針体４１の針先により指先Ｆの表面（皮膚）を穿刺する。このとき、コイルバネ４３０は、圧縮状態となる。
【００４４】
その後、コイルバネ４３０は、プランジャ４１０を基端方向へ押し戻す。プランジャ４１０は、コイルバネ４２０の弾性力とコイルバネ４３０の弾性力とにより、先端方向への移動と基端方向への移動とを繰り返し、やがて、コイルバネ４２０の弾性力とコイルバネ４３０の弾性力とが釣り合う位置で静止する。
【００４５】
なお、プランジャ４１０が静止した状態では、穿刺針４が備える針体４１の針先は、体液採取具１内に収納されるよう構成されている。
【００４６】
計測手段７００は、体液採取具１が備えるセンサ５に所定の電圧を印加する電圧変更回路７１０と、電流値を測定する電流測定部７２０と、センサ５が備える電極５２ａ、５２ｂに接触する接点７３１、７３２とを有している。
【００４７】
接点７３１は、電圧変更回路７１０を介して電池９００に電気的に接続され、また、接点７３２は、電流測定部７２０を介して電池９００に電気的に接続されている。
【００４８】
計測手段７００は、血液中のブドウ糖量に応じて生じるセンサ５からの出力電流の変化を、電流測定部７２０で測定（検出）し、この検出信号を制御手段１１１に出力する。
【００４９】
そして、制御手段１１１（演算部）では、入力された信号に基づいて、所定の演算処理を行い、また、必要に応じ補正計算を行って、血液中のブドウ糖量（血糖値）を求める。求められた血糖値は、表示部１１２に表示される。
【００５０】
このような成分測定装置１００に、本発明の体液採取具１を装填（装着）して使用する。
【００５１】
＜体液採取具＞
次に、本発明の体液採取具について詳細に説明する。
【００５２】
＜＜第１実施形態＞＞
本発明の体液採取具（チップ）の第１実施形態について説明する。
【００５３】
図１は、本発明の体液採取具の第１実施形態を示す斜視図であり、図２は、図１に示す体液採取具の分解斜視図であり、図３は、図１中のＡ−Ａ線断面図であり、図４は、図１に示す体液採取具が備えるセンサホルダの先端側を下方より見た図であり、図５および図６は、それぞれ、封止部材の他の構成例を示す図（縦断面図）である。なお、以下の説明では、右側を「基端」、左側を「先端」、上側を「上」または「上方」、下側を「下」または「下方」と言う。
【００５４】
図１等に示す体液採取具１は、針収納部２と、センサ５と、センサホルダ６とを有している。
【００５５】
以下、体液採取具１の各部の構成（各構成要素）について、順次説明する。
針収納部（穿刺針ユニット）２は、ケーシング３と、このケーシング３内に軸方向に移動可能に収納された穿刺針４とで構成されている。
【００５６】
穿刺針４は、針体４１と、この針体４１の基端部に固着（固定）されたハブ４２とで構成されている。
【００５７】
針体４１は、例えば、ステンレス鋼、アルミニウム、アルミニウム合金、チタン、チタン合金等の金属材料よりなる中空部材または中実部材で構成され、その先端には、鋭利な針先（刃先）が形成されている。この針先により、指先Ｆの表面（皮膚）を穿刺して、その穿刺部位から血液（体液）を出させる（出血させる）。
【００５８】
針体４１の基端部には、ハブ４２が、例えば、融着、接着剤による接着、嵌合、カシメ等により固定（固着）されている。
【００５９】
このハブ４２は、ほぼ円柱状の部材で構成され、その外面がケーシング３の内面に当接しつつ摺動する。
【００６０】
このハブ４２の基端部には、嵌合部４２１が形成されている。この嵌合部４２１は、体液採取具１を成分測定装置１００に装填した状態で、前述したプランジャ４１０（穿刺手段４００）の針ホルダ４１１に嵌合（嵌入）する。
【００６１】
ケーシング３は、筒状の部材で構成され、その先端および基端には、それぞれ、内腔部が開放する先端開口３１および基端開口３２が形成されている。針体４１は、先端開口３１を通過して、体液採取具１の先端から突出する。
【００６２】
ケーシング３の内径は、先端側において縮径しており、穿刺針４が先端方向へ移動すると、ハブ４２の端面４２２がケーシング３の内面３３に当接する。これにより、体液採取具１の先端からの針体４１の最大突出長さ（最大突出量）が規制される。よって、穿刺針４による指先Ｆの表面の穿刺に際し、針体４１の針先により指先Ｆを必要以上に深く穿刺してしまうことが防止される。
【００６３】
一方、ケーシング３の基端側の内径は、ほぼ一定であり、ハブ４２の最大外径より若干大きく設定されている。これにより、穿刺針４のハウジング３の軸方向に対する移動が円滑になされる。
【００６４】
また、ケーシング３の基端部内面には、内側に向かって突出するリング状の凸部３４が形成されている。体液採取具１の使用前の状態（図３に示す状態）では、凸部３４にハブ４２の外周部が嵌合して、穿刺針４がケーシング３に対して固定されている。また、この状態で、針体４１の針先が先端開口３１から突出しないよう設定されている。
【００６５】
この凸部３４とハブ４２との固定力（嵌合力）は、穿刺針４（嵌合部４２１）を針ホルダ４１１に支障なく嵌入することができ、かつ、穿刺手段４００を作動させたとき、凸部３４とハブ４２との固定が容易に解除する程度に設定される。
【００６６】
なお、ハブ４２とケーシング３との固定方法としては、これに限定されず、例えば、ケーシング３の内面および／またはハブ４２の外面に係止手段を設ける方法、ケーシング３の内面とハブ４２の外面との摩擦力を利用する方法、ケーシング３とハブ４２とを弱接着あるいは弱融着したりする方法等であってもよい。
【００６７】
ケーシング３の内面アンダーカット（凸部３４）とハブ４２との嵌合等により、針収納部２の内部への細菌の侵入は、阻止されている。このため、針収納部２に対して一旦滅菌を施すと、体液採取具１の使用時まで、穿刺針４は、滅菌状態が維持される。
【００６８】
また、ケーシング３の長手方向の途中の外面には、段差部３５が形成されている。ケーシング３には、この段差部３５より先端側の部分（装着部３６）に、センサホルダ６が装着される。装着部３６にセンサホルダ６を装着した状態（図１および図３に示す状態、以下、この状態を「体液採取具１の組み立て状態」と言う。）では、段差部３５にセンサホルダ６の基端が当接して、センサホルダ６のケーシング３（針収納部２）の長手方向に対する位置決めがなされる。このような段差部３５により、センサホルダ６を針収納部２の長手方向に対して位置決めする位置決め手段が構成されている。
【００６９】
このような位置決め手段を設けることにより、針体４１の体液採取具１からの突出長さを、より確実に規制することができ、不要に指先Ｆの穿刺深さが深くなるのを防止することができる。
【００７０】
また、ケーシング３の外側面には、長手方向に沿って一対の対向する溝３７が形成されている。各溝３７は、体液採取具１を把持する際の滑り止め手段として機能するものであり、各溝３７を設けることにより、体液採取具１を指等でより確実に把持することができる。
【００７１】
センサ５は、体液中の所定成分を測定するものであり、例えば、血液（体液）と接触することにより、血液中のブドウ糖（所定成分）を電気的に測定（検出）する機能を有するものである。
【００７２】
本実施形態では、センサ５は、平板状をなし、その先端部には、測定部５１を備えている。測定部５１は、その内部に、血液（体液）を収容可能であり、かつ、血液中のブドウ糖（所定成分）と反応する試薬を有している。
【００７３】
また、図２に示すように、センサ５の上面には、一対の薄板状（薄膜状）の電極５２ａ、５２ｂが設けられている。各電極５２ａ、５２ｂの先端部は、それぞれ、測定部５１の上方に位置している。
【００７４】
体液採取具１を成分測定装置１００に装填した状態では、計測手段７００の接点７３１、７３２が、それぞれ電極５２ａ、５２ｂに電気的に接続され（接触し）、電極５２ａ、５２ｂを介して、測定部５１へ電圧が印加される。
【００７５】
用いる試薬としては、例えば、グルコースオキシダーゼ、グルコースデヒドロゲナーゼ等の酸化還元酵素のうちの少なくとも１種と、フェリシアン化カリウム、フェロセン誘導体、キノン誘導体、金属錯体等の電子受容体のうちの少なくとも１種との組み合わせが挙げられる。
【００７６】
ここで、血中のブドウ糖量の測定原理を、グルコースオキシダーゼ（ＧＯＤ）とフェリシアンカリウム（Ｋ３［Ｆｅ（ＩＩＩ）（ＣＮ）６］）とを組み合わせた試薬を用いる場合を一例に説明する。
【００７７】
まず、測定部５１に血液が供給されると、血液中のブドウ糖とＧＯＤとが特異的に反応し、グルコン酸と電子とが発生する。次に、この電子は、フェリシアンカリウム（Ｋ３［Ｆｅ（ＩＩＩ）（ＣＮ）６］）をフェロシアン化カリウム（Ｋ４［Ｆｅ（ＩＩ）（ＣＮ）６］）に変化させる（還元する）。フェロシアン化カリウムは、計測手段７００から印加された電圧により、再度、フェリシアンカリウムに戻り（酸化され）、このとき、電流が発生する。この発生電流は、ブドウ糖量に比例するため、発生電流（センサ５からの出力電流）の変化を、計測手段７００で測定（検出）することにより、血液中のブドウ糖量を算出することができる。
【００７８】
このようなセンサ５は、針収納部２の先端部（ケーシング３の装着部３６）にセンサホルダ６が装着され、これにより、センサホルダ６と針収納部２との間に支持されている。
【００７９】
このセンサホルダ６は、一対の対向する側壁部６１、６１と、これらを連結する天板部６２とを有し、その断面形状がほぼコ字状をなしている。
【００８０】
各側壁部６１の内面には、それぞれ、長手方向に沿って溝６１１が形成されている。体液採取具１の組み立て状態では、各溝６１１に、それぞれケーシング３の装着部３６の両側部が挿入、嵌合する。これにより、センサホルダ６が針収納部２に対して固定されている。
【００８１】
そして、ケーシング３（針収納部２）とセンサホルダ６との当接面は、それぞれ、平坦面とされている。これにより、平板状のセンサ５を安定かつ確実に保持（支持）することができる。
【００８２】
また、体液採取具１の組み立て状態では、天板部６２の内面（下面）６２１、６２１とケーシング３の装着部３６の上面との間に、センサ５の基端側が挟持されている。このような簡単な構成で、センサ５を確実に固定することができ、かつ、このような構成の体液採取具１は、その組立が極めて容易である。本実施形態では、かかる部分が、センサ５の基端側を支持する第２の支持部８２を構成する。また、センサホルダ６の先端部内側には、センサ５の測定部５１近傍を支持する第１の支持部８１が設けられている。
【００８３】
換言すれば、体液採取具１は、その内部に、センサ５の測定部５１近傍を支持する第１の支持部８１と、この第１の支持部８１より基端側において、センサ５を支持する第２の支持部８２とを有する。
【００８４】
このようなセンサホルダ６の先端部には、第１の支持部８１に連通する血液導入路（体液導入路）６３が形成されている。この血液導入路６３は、穿刺針４による指先Ｆの穿刺部位に隆起した血液を採取して、この血液を第１の支持部８１に支持されたセンサ５の先端部（測定部５１）に導く機能を有している。
【００８５】
血液導入路６３は、細径のオリフィスで構成され、その先端には流入側（導入側）開口６３１が、また、その基端には流出側（導出側）開口６３２が、それぞれ、形成されている。血液は、毛細管現象により血液導入路６３を通って、測定部５１へ供給される。
【００８６】
この毛細管現象を利用する血液導入路６３では、その寸法に好適な範囲が存在し、特に、その長さ（全長）と内径との関係が重要となる。
【００８７】
具体的には、血液導入路６３の長さ（図４中、長さＬ）は、特に限定されないが、０．１〜１０ｍｍ程度であるのが好ましく、０．５〜５ｍｍ程度であるのがより好ましい。一方、内径（図４中、長さＤ）は、特に限定されないが、０．１〜３ｍｍ程度であるのが好ましく、０．５〜１．５ｍｍ程度であるのがより好ましい。
【００８８】
また、血液導入路６３の容積は、特に限定されないが、センサ５の測定部５１の容積の０．５〜２倍程度であるのが好ましく、０．８〜１．５倍程度であるのがより好ましい。このように、血液導入路６３の容積を、測定部５１の容積を基準として、前記範囲に設定することにより、採取する血液量をより減少させることができる。このため、指先Ｆの穿刺部位からの出血量もより少量でよくなり、患者の負担を軽減することができる。また、血液導入路６３の容積を満たす血液量が得られなければ、血液が測定部５１に接触することがないので、血液の過少による測定の失敗を防止することができる。
【００８９】
前記第１の支持部８１は、前記第２の支持部８２より穿刺針４の中心軸に近くなるよう配置されている。第１の支持部８１と第２の支持部８２とを、このような配置とすることにより、センサ５は、第１の支持部８１と第２の支持部８２との間、すなわち、後述する非接触空間６４において屈曲または湾曲して設置され、センサ５の先端側は、穿刺針４の中心軸に向かうよう傾斜または湾曲する。これにより、センサ５の測定部５１は、血液導入路６３の長手方向に対して傾斜するように配置される。また、センサ５の先端側が穿刺針４の中心軸に向かうよう傾斜または湾曲することにより、センサ５を第１の支持部８１および第２の支持部８２に、より確実に固定することができるとともに、センサ５の先端を穿刺部位により接近させることができる。
【００９０】
また、前述したように、センサ５の測定部５１近傍が第１の支持部８１に支持され、測定部５１が血液導入路６３の流出側開口６３２近傍に位置するように配置されている。
【００９１】
このようなことから、血液導入路６３を介して導入された血液は、効率よく測定部５１へ供給されるので、より少ない血液量（採血量）での血糖値の測定が可能となる。
【００９２】
特に、このような体液採取具１では、第１の支持部８１と第２の支持部８２との間に、センサ５の表面がセンサホルダ６の内面に実質的に接触しない非接触空間６４が形成されている。そして、この非接触空間６４の容積が、第１の支持部８１が画成する空間の容積より大きくなるように設定されている。これにより、毛細管現象により血液導入路６３を介して導入された血液は、第１の支持部８１に到達すると、さらに基端方向へ移動することが阻止される。これにより、採取された血液は、第１の支持部８１内に留まり、効率よく（無駄なく）測定部５１に供給されるので、採取する血液量をより減少させることができる。
【００９３】
本実施形態では、このような非接触空間６４により、センサ５の測定部５１以外の箇所に、血液が浸潤するのを防止する血液浸潤防止手段（体液浸潤防止手段）が構成されている。
【００９４】
また、第１の支持部８１の基端部の上方には、非接触空間６４に連通する凹部８１１が形成されている。本実施形態では、この凹部８１１は、図４に示すように、第１の支持部８１の一部を切り欠くことにより形成された切欠部で構成されている。このような凹部（切欠部）８１１を設けることにより、センサ５の上方側部をつたって血液がセンサ５の基端側へ浸潤する（回り込む）のをより確実に防止することができる。
【００９５】
なお、血液浸潤防止手段（体液浸潤防止手段）は、第１の支持部８１と第２の支持部８２との間に非接触空間６４を設ける構成のものに限定されず、例えば、第１の支持部８１の基端付近に撥水処理を施すことにより、血液の浸潤を防止する構成とすることもできる。
【００９６】
また、センサホルダ６の先端には、ガイド部７が突出形成されている。このガイド部７は、血液を血液導入路６３の流入側開口６３１に効率よく導く機能を有するものであり、複数の脚部（図示の構成では、２本の脚部７１ａ、７１ｂ）を有する構成とされている。
【００９７】
各脚部７１ａ、７１ｂは、それぞれ、血液導入路６３の流入側開口６３１近傍から、穿刺針４の中心軸に向かって延在しており、脚部７１ａ、７１ｂ同士は、前記中心軸に向かうにしたがって離間するよう設置されている。
【００９８】
すなわち、脚部７１ａ、７１ｂ同士は、ハ字状をなすよう配置され、各脚部７１ａ、７１ｂの端部（図１等の下方の端部）同士は、つながっていない。このため、血液を採取するにあたりガイド部７の先端面に指先Ｆの表面（皮膚）を接触させた際に、ガイド部７の内側空間（血液導入路６３）が塞がれず、血液の流入路が確保されるので、血液の測定部５１への供給を円滑かつ確実に行うことができる。
なお、脚部の設置数は、図示のものに限定されず、３本以上であってもよい。
【００９９】
このガイド部７の先端から血液導入路６３の流入側開口６３１までの距離（図３中、長さＡ）は、０．１〜１０ｍｍ程度であるのが好ましく、０．２〜３ｍｍ程度であるのがより好ましい。長さＡを前記範囲とすることにより、少量の血液であっても、効率よく血液導入路６３の流入側開口６３１に導くことができる。
【０１００】
このようなガイド部７には、親水化処理が施されているのが好ましい。これにより、血液を血液導入路６３の流入側開口６３１へより迅速に導くことができる。
【０１０１】
親水化処理としては、例えば、オゾン処理、プラズマ処理、グロー放電、コロナ放電、紫外線照射等の物理活性化処理や、界面活性剤、水溶性シリコーン、ヒドロキシプロピルセルロース、ポリエチレングリコール、ポリプロピレングリコール等の付与（塗布）等により行うことができる。
【０１０２】
なお、ガイド部７自体を、アクリル樹脂等の親水性の高い材料で構成するようにしてもよい。
【０１０３】
また、かかる親水化処理は、必要に応じて、体液採取具１の他の部位（例えば、第１の支持部８１の内面等）に施すようにしてもよい。
【０１０４】
センサホルダ６（体液採取具１）は、その先端側が実質的に透明（無色透明、着色透明または半透明）とされている。これにより、血液が血液導入路６３を介して、確実に測定部５１に供給されているか否かを、体液採取具１の外部から確認することができ、患者（使用者）に安心感を与えることができる。また、血液の採取不足（血液導入路６３への血液の導入がなされないこと）による測定ミス（例えば、測定値の異常等）をより確実に防止することができる。
【０１０５】
また、センサホルダ６（天板部６２）基端部には、切欠部６２２が形成されている。体液採取具１の組み立て状態では、この切欠部６２２においてセンサ５の電極５２ａ、５２ｂの基端部が、それぞれ、体液採取具１の外部に露出している。
【０１０６】
体液採取具１を成分測定装置１００（ハウジング５００）に装填すると、接点７３１、７３２が、それぞれ、この切欠部６２２内に進入して、その一部（頂部付近）が各電極５２ａ、５２ｂに接触する。
【０１０７】
また、針収納部２（ケーシング３）の段差部３５には、この切欠部６２２に対応する位置に傾斜面３５１が形成されている。この傾斜面３５１を設けることにより、体液採取具１を成分測定装置１００に装填（装着）および脱着する際に、接点７３１、７３２の切欠部６２２への進入および切欠部６２２からの離脱が、より円滑になされるようにすることができる。
【０１０８】
このようなセンサホルダ６、ケーシング３およびハブ４２は、それぞれ、好ましくは樹脂材料で構成されている。この樹脂材料としては、例えば、ＡＢＳ樹脂、ＡＳ樹脂、ポリエチレン、ポリプロピレン、ポリスチレン、ポリ塩化ビニル、ポリ塩化ビニリデン樹脂、ポリフェニレンオキサイド、熱可塑性ポリウレタン、ポリメチレンメタクリレート、ポリオキシエチレン、フッ素樹脂、ポリカーボネート、ポリアミド、アセタール樹脂、アクリル樹脂、ポリエチレンテレフタレート等の射出成形で用いられる熱可塑性樹脂や、フェノール樹脂、エポキシ樹脂、シリコーン樹脂、不飽和ポリエステル等の熱硬化性樹脂等が挙げられる。
【０１０９】
このような体液採取具１は、針収納部２に対して、例えばエチレンオキサイドガス（ＥＯＧ）滅菌等により滅菌処理を施した後、体液採取具１として組み立てられたものである。本実施形態では、針収納部２には、ケーシング３の先端開口３１を、気体を透過させ、かつ、菌を透過させない膜（封止部材）９１により封止した状態で、滅菌処理が施されている。
【０１１０】
なお、針収納部２の基端側は、体液採取具１の使用前の状態では、前述したように、凸部３４にハブ４２の外周部が嵌合して、穿刺針４がケーシング３に対して固定されている。この嵌合部では、ある程度の気体の透過は、許容されるものの、菌の透過が阻止されている。このため、ケーシング３の先端開口３１を膜（フィルター）９１で封止して、滅菌処理を施すことにより、針収納部２内部の滅菌状態（無菌性）は、体液採取具１の使用時まで維持（保持）される。
【０１１１】
図示の構成では、膜９１は、穿刺針４による指先Ｆの穿刺の際に、針体４１の針先により刺通され、開封される。
【０１１２】
ここで、封止部材の他の構成例について、図５および図６を参照して説明する。
【０１１３】
図５に示す封止部材は、前記と同様の膜９２で構成されているが、その一端部９２１側が体液採取具１を収納するケース１０の蓋１１に固定されている。具体的には、膜９２の一端部９２１は、蓋１１の内側に装着された内部材１２と、蓋１１とにより挟持され、固定されている。このため、ケース１０の蓋１１を取り外すのとほぼ同時に、針収納部２から膜９２が剥離されて、針収納部２が開封される。
【０１１４】
図６に示す封止部材は、ピン９３で構成され、その一端部９３１がケーシング３の先端開口３１に挿入、嵌合している。そして、図６に示す体液採取具１は、この状態で針収納部２に対して滅菌処理が施され、その後、体液採取具１として組み立てられたものである。
【０１１５】
そして、この体液採取具１は、ケース１０に収納した際に、ピン９３の他端部に形成された嵌合部９３２が、蓋１１の内面に形成された穴１１ａに嵌合する。
【０１１６】
このピン９３のケーシング３の先端開口３１に対する嵌合力より、ケース１０の蓋１１に対する嵌合力が大きく設定されている。このため、蓋１１を取り外すのとほぼ同時に、針収納部２からピン９３が離脱して、針収納部２が開封される。
【０１１７】
このような体液採取具１は、図１および図２に示すように、その全体形状がほぼ直方体状をなしている。体液採取具１の全体形状を直方体状とすることにより、体液採取具１を机上等に置いた際に、転がるのを防止することができる。体液採取具１の使用後には、その内部等に血液（体液）が付着するが、転がるのを防止することにより、血液が周囲に飛散するのをより確実に防止することができる。
【０１１８】
また、体液採取具１は、図１０に示すように、成分測定装置１００に装填した状態では、その先端部が成分測定装置１００から突出しており、ガイド部７の先端に、指先Ｆの表面（表皮）を当がった状態で、穿刺針４により指先Ｆの表面を穿刺するよう使用される。このため、体液採取具１では、穿刺針４による指先Ｆの穿刺深さ（針体４１の突出長さ）を規定する基準位置を、その先端に設定することができる。体液採取具１の先端を前記基準位置として設定することにより、指先Ｆの穿刺針４による穿刺深さがバラツクのをより確実に防止することができる。また、指先Ｆの穿刺針４による穿刺部位をガイド部７の近傍とすることができるので、ガイド部７による血液の確保（捕捉）にも有利である。
【０１１９】
また、前述したように、体液採取具１には、穿刺針４とセンサ５とが設けられているので、穿刺、血液の採取およびセンサ５への供給、測定（成分の定量化）を連続的に行うことができ、血糖値測定（成分測定）を容易かつ短時間で行うことができる。また、成分測定装置１００の使用に際しての準備操作が容易であり、このため、定期的に使用する場合や繰り返し使用する場合にも有利である。よって、このような体液採取具１は、患者自身が自己の血糖値等を測定する際に使用するのに適しているとともに、構成が簡単であり、安価で、量産にも適する。
【０１２０】
次に、体液採取具１を成分測定装置１００に装填して使用する方法（作用）の一例について説明する。
【０１２１】
［１］　まず、体液採取具１を筐体２１０の開口２１２を介して、ハウジング５００の装填部５３０に装填（挿入）し、穿刺針４の嵌合部４２１を針ホルダ４１１に嵌入（装着）する。
【０１２２】
さらに、体液採取具１を基端方向へ押し込むと、コイルバネ４２０の付勢力に抗して、プランジャ４１０が基端方向へ移動する。係止部４１３は、その頂部付近が弾性片４１２の弾性力によりハウジング５００の内面に当接しているが、係止部４１３が開口５７０の位置に到達すると、開口５７０に挿入される（図１０参照）。これにより、体液採取具１によるプランジャ４１０の基端方向の押圧力を解除しても、係止部４１３が開口５７０縁部に係止し、プランジャ４１０は先端方向への移動が規制される。このとき、コイルバネ４２０は、圧縮状態とされている。この状態で、穿刺手段４００による穿刺の準備および血液（検体）採取の準備が完了する。
【０１２３】
また、このとき、計測手段７００が備える接点７３１、７３２が、センサホルダ６の切欠部６２２内に進入して、センサ５の電極５２ａ、５２ｂと、それぞれ、接触する。これにより、センサ５と計測手段７００とが、電気的に接続される。
【０１２４】
［２］　次に、図示しない電源スイッチをオンとする。これにより、成分測定装置１００の各部が起動し、測定可能な状態となる。
【０１２５】
［３］　次に、図１０に示すように、ガイド部７（体液採取具１の先端部）の先端に、指先（指）Ｆを押し当てる（当がう）。この状態で、操作ボタン２２２を押圧操作し、成分測定装置１００を作動させる。
【０１２６】
まず、操作ボタン２２２の押圧操作に連動して、係止解除部材２２３が、図１０中矢印方向へ移動し、係止部４１３に当接して、これをハウジング５００の内腔部５２０に向かって押し戻す。これにより、係止部４１３の係止が外れ、圧縮されていたコイルバネ４２０の弾性力により、プランジャ４１０が先端方向に移動する。このプランジャ４１０の先端方向への移動により、穿刺針４は、先端方向に移動し、その針体４１の針先が膜９１を刺通して先端開口３１を通過し、体液採取具１の先端より突出して指先Ｆの表面を穿刺する。
【０１２７】
その後、コイルバネ４３０は、プランジャ４１０を基端方向へ押し戻す。プランジャ４１０は、コイルバネ４２０の弾性力とコイルバネ４３０の弾性力とにより、先端方向への移動と基端方向への移動とを繰り返し、やがて、コイルバネ４２０の弾性力とコイルバネ４３０の弾性力とが釣り合う位置で静止する。このとき、針体４１の針先は、体液採取具１内に収納されている。このように、針体４１の針先は、穿刺時以外は体液採取具１の先端から突出しないようになっており、誤って皮膚等を傷つけることが無く、また、感染も防止することができ、安全性が高い。
【０１２８】
［４］　次に、一旦、体液採取具１が装填（装着）された成分測定装置１００を机上等へ置いて、穿刺針４による指先Ｆの穿刺部位周辺を、他方の指等で揉んで、穿刺部位から血液を出させる。
なお、本工程［４］は、必要に応じて、省略することができる。
【０１２９】
［５］　次に、再度、成分測定装置１００を把持して、前記［４］の操作で、穿刺部位に隆起した血液に対して、体液採取具１のガイド部７を接触させるように近づける。
【０１３０】
これにより、血液は、ガイド部７により血液導入路６３の流入側開口６３１へ導かれ、血液導入路６３を毛細管現象により通過して、センサ５の測定部５１へ供給される。
【０１３１】
測定部５１へ血液が供給されると、測定部５１では、血液中のブドウ糖と試薬とが反応し、ブドウ糖量に応じて電流が発生する。
【０１３２】
［６］　制御手段１１１は、センサ５からの出力電流の変化を、計測手段７００により測定し、得られたデータに基づき演算処理し、温度補正計算、ヘマトクリット値補正計算等の補正を行い、血糖値を定量化する。
【０１３３】
次いで、前記算出された血糖値を表示部１１２に表示する。これにより、血糖値を把握することができる。
【０１３４】
このような方法によれば、短時間でかつ確実に、測定に必要かつ十分な量の血液を採取することができるとともに、より少ない血液量で血糖値（血液中の所定成分の量）を正確に測定することができる。
【０１３５】
＜＜第２実施形態＞＞
次に、本発明の体液採取具の第２実施形態について説明する。
【０１３６】
図７は、本発明の体液採取具の第２実施形態の先端部の構成を示す縦断面図である。なお、以下の説明では、図７中の右側を「基端」、左側を「先端」と言う。
【０１３７】
以下、図７に示す第２実施形態の体液採取具１について、前記第１実施形態との相違点を中心に説明し、同様の事項については、その説明を省略する。
【０１３８】
第２実施形態の体液採取具１は、ガイド部７の形状が異なり、それ以外は、前記第１実施形態と同様である。
【０１３９】
すなわち、第２実施形態のガイド部７は、血液導入路６３に連通する内腔部７２１を有する細管７２で構成されている。これにより、ガイド部７の先端を、血液へ接触させる目印（基準）とすることができる。このため、前記工程［５］において、穿刺部位に隆起した血液にガイド部７の先端を接触させるに際し、ガイド部７の不適当な箇所へ血液を付着させてしまい、血液を無駄にしてしまうのをより確実に防止することができる。
【０１４０】
また、細管７２の先端面には、内腔部７２１（血液導入路６３）に連通する溝７２２が形成されている。図示の例では、この溝７２２は、細管７２の径方向に延在する一文字状の溝で構成され、その両端は、それぞれ、細管７２の外周面に開放している。
【０１４１】
この溝７２２を設けることにより、血液を採取するにあたり細管７２（ガイド部７）の先端面に指先Ｆの表面（皮膚）を接触させた際に、細管７２の内腔部７２１（血液導入路６３）が塞がれず、血液の流入路が確保されるので、血液の測定部５１への供給を円滑かつ確実に行うことができる。
【０１４２】
また、溝７２２の深さは、指先Ｆの表面の状態等によりその好適な範囲が存在し、特に限定されないが、通常、０．１ｍｍ以上であるのが好ましく、０．２〜１．８ｍｍ程度であるのがより好ましい。溝７２２の深さが浅すぎると、特に、指先Ｆの表面への圧着力が大きい場合等の場合に、内腔部７２１の血液の通過が不十分となることがある。
【０１４３】
なお、溝７２２の形状、本数、配置等は、図示のものに限定されず、細管７２の先端面を、指先Ｆの表面に当接したとき、その先端面の一部が指先Ｆの表面と接触しないような構成であればよい。例えば、複数の溝７２２を、細管７２の中心軸を中心として放射状（例えば十文字状）に形成したり等するパターンが挙げられる。
【０１４４】
このような構成とすることによっても、前述した第１実施形態の体液採取具と同様の効果が得られる。
【０１４５】
以上、本発明の体液採取具を図示の各実施形態に基づいて説明したが、本発明は、これらに限定されるものではなく、例えば、各部の構成は、同様の機能を発揮し得る任意の構成のものに置換することができる。また、本発明の体液採取具は、穿刺針あるいは針収納部を有さないものにおいても、十分にその効果を得ることができることは言うまでもない。
【０１４６】
また、本発明では前述した各実施形態の任意の２以上の構成を適宜組み合わせてもよい。
【０１４７】
また、前記実施形態では、採取する体液として、血液を代表として説明したが、本発明では、採取する体液は、これに限らず、例えば、尿、汗、リンパ液、髄液、胆汁、唾液等であってもよい。
【０１４８】
また、前記実施形態では、測定目的とする成分として、ブドウ糖（血糖値）を代表として説明したが、本発明では、測定目的の成分は、これに限らず、例えば、各種アルコール類、各種糖類、コレステロール、乳酸、各種ビタミン類、ヘモグロビン（潜血）、尿酸、クレアチニン、各種タンパク質、ナトリウム等の無機イオン等であってもよい。
【０１４９】
この場合、センサが有する試薬が含有する酸化還元酵素としては、例えば、アルコールオキシダーゼ、アルコールデヒドロゲナーゼ、ガラクトースオキシダーゼ、フルクトースデヒドロゲナーゼ、コレステロールオキシダーゼ、コレステロールデヒドロゲナーゼ、乳酸オキシダーゼ、乳酸デヒドロゲナーゼ、アスコルビン酸オキシダーゼ、ビリルビンオキシダーゼ、キサンチンオキシダーゼ等を用いることができる。
【０１５０】
また、前記実施形態では、センサは、所定成分の量を測定（検出）するものであるが、本発明では、センサは、所定成分の性質を測定（検出）するものであってもよく、また、所定成分の量および性質を測定（検出）するものであってもよい。
【０１５１】
また、センサの測定方式は、前記試薬を用いて電気的に測定するのものが好ましいが、光学式、その他の方式によるものであってもよい。
【０１５２】
【発明の効果】
以上述べたように、本発明によれば、体液の採取操作がし易く、体液中の所定成分を少ない体液量で検出し得る。
【０１５３】
また、穿刺針を組み込むことにより、穿刺、体液の採取およびセンサへの供給、所定成分の検出を連続的に行うことができ、所定成分の検出を容易かつ短時間で行うことができる。また、使用に際しての準備操作が容易であり、このため、定期的に使用する場合や繰り返し使用する場合にも有利である。
【０１５４】
また、本発明によれば、一旦穿刺した後、誤って再度生体表面を穿刺する等の事故が防止され、安全性も高い。
【０１５５】
以上のことから、本発明は、患者自身が自己の血糖値を測定等する際に使用するのに適している。また、構成が簡単であり、安価で、量産にも適する。
【図面の簡単な説明】
【図１】本発明の体液採取具の第１実施形態を示す斜視図である。
【図２】図１に示す体液採取具の分解斜視図である。
【図３】図１中のＡ−Ａ線断面図である。
【図４】図１に示す体液採取具が備えるセンサホルダの先端側を下方より見た図である。
【図５】封止部材の他の構成例を示す図（縦断面図）である。
【図６】封止部材の他の構成例を示す図（縦断面図）である。
【図７】本発明の体液採取具の第２実施形態の先端部の構成を示す縦断面図である。
【図８】本発明の体液採取具を装着して使用する成分測定装置の構成を模式的に示す分解斜視図である。
【図９】図８に示す成分測定装置が備えるハウジング、穿刺手段、測定手段の構成を模式的に示す図（一部、縦断面図として示す）である。
【図１０】図８に示す成分測定装置が備えるハウジング、穿刺手段、測定手段の構成を模式的に示す図（一部、縦断面図として示す）である。
【符号の説明】
１　　　　　　体液採取具
２　　　　　　針収納部
３　　　　　　ケーシング
３１　　　　　先端開口
３２　　　　　基端開口
３３　　　　　内面
３４　　　　　凸部
３５　　　　　段差部
３５１　　　　傾斜面
３６　　　　　装着部
３７　　　　　溝
４　　　　　　穿刺針
４１　　　　　針体
４２　　　　　ハブ
４２１　　　　嵌合部
４２２　　　　端面
５　　　　　　センサ
５１　　　　　測定部
５２ａ、５２ｂ　電極
６　　　　　　センサホルダ
６１　　　　　側壁部
６１１　　　　溝
６２　　　　　天板部
６２１　　　　下面
６２２　　　　切欠部
６３　　　　　血液導入路
６３１　　　　流入側開口
６３２　　　　流出側開口
６４　　　　　非接触空間
７　　　　　　ガイド部
７１ａ、７１ｂ　脚部
７２　　　　　細管
７２１　　　　内腔部
７２２　　　　溝
８１　　　　　第１の支持部
８１１　　　　凹部
８２　　　　　第２の支持部
９１　　　　　膜
９２　　　　　膜
９２１　　　　一端部
９３　　　　　ピン
９３１　　　　一端部
９３２　　　　嵌合部
１０　　　　　ケース
１１　　　　　蓋
１１ａ　　　　穴
１２　　　　　内部材
Ｆ　　　　　　指先
１００　　　　成分測定装置
２００　　　　本体
２１０　　　　筐体
２１１　　　　壁部
２１２　　　　開口
２２０　　　　蓋体
２２１　　　　表示窓
２２２　　　　操作ボタン
２２３　　　　係止解除部材
４００　　　　穿刺手段
４１０　　　　プランジャ
４１１　　　　針ホルダ
４１２　　　　弾性片
４１３　　　　係止部
４２０　　　　コイルバネ
４３０　　　　コイルバネ
５００　　　　ハウジング
５０１　　　　先端開口
５１０　　　　壁部
５２０　　　　内腔部
５３０　　　　装填部
５７０　　　　開口
７００　　　　計測手段
７１０　　　　電圧変更回路
７２０　　　　電流測定部
７３１、７３２　接点
９００　　　　電池
１１０　　　　回路基板
１１１　　　　制御手段
１１２　　　　表示部
【図１】
2004033375.tif 000003
【図２】
2004033375.tif 000004
【図３】
2004033375.tif 000005
【図４】
2004033375.tif 000006
【図５】
2004033375.tif 000007
【図６】
2004033375.tif 000008
【図７】
2004033375.tif 000009
【図８】
2004033375.tif 000010
【図９】
2004033375.tif 000011
【図１０】
2004033375.tif 000012